(57)【特許請求の範囲】
【請求項１】
４つの側板を交互に配置して周壁を構成し、前記各側板にそれぞれ接続されるフラップを折り重ねて天面側と底面側が閉じられる箱形状を構成するＡ式の包装箱であって、
少なくとも一つの前記側板には、
前記側板の左右の中央部に配置される手掛部から、前記側板の左右縁部において上下方向に伸びる折目に向かって斜め上方向に伸びる傾斜ライン部を有し、前記折目の近傍から前記折目に沿って上方向に向かって伸びるように形成されるジッパーラインと、前記手掛部を引っ張り上げることで前記ジッパーラインが破断して開かれる側面フラップと、を有する、包装箱。
【請求項２】
前記傾斜ライン部は、前記側板の上下方向において中央よりも下側にずれた位置に配置される、
ことを特徴とする請求項１に記載の包装箱。
【請求項３】
前記傾斜ライン部において前記折目の近傍の箇所は、他の箇所よりも長さの短い小貫通線にて構成される。
ことを特徴とする請求項１又は請求項２に記載の包装箱。
【請求項４】
前記折目と前記小貫通線の間には、前記折目側に向かって低くなる傾斜をなすように伸びる下向貫通線が設けられる、
ことを特徴とする請求項３に記載の包装箱。
【請求項５】
前記側板における前記傾斜ライン部と前記折目の境界部には、
前記折目側に向かって低くなる傾斜をなすように伸びる下向貫通線が設けられる、
ことを特徴とする請求項１又は請求項２に記載の包装箱。
【請求項６】
前記側板左右縁部において上下方向に伸びる折目において、
前記下向貫通線よりも上側の領域に、前記折目に沿って上方向に向かって伸びるジッパーラインの上下ライン部が配置され、
前記下向貫通線よりも下側の領域に、前記ジッパーラインの無い単純折目部が配置される、こととし、
前記単純折目部の長さは、前記折目の上下寸法の１／５以上〜１／２以下とする、こととする、
ことを特徴とする請求項４又は請求項５に記載の包装箱。
【請求項７】
前記側板において、前記傾斜ライン部を挟んで前記側面フラップと反対側の領域に下壁部が形成され、前記側面フラップを開いた状態で、前記下壁部が残される構成とする、
ことを特徴とする請求項１乃至請求項６のいずれか一項に記載の包装箱。
【請求項８】
前記側板は、幅狭の短側板と幅広の長側板を交互に接続して周壁を構成するものであり、
前記幅狭の短側板に前記ジッパーラインと、前記側面フラップと、が形成され、
前記短側板が天面に位置するように包装箱を縦向きにした状態で、前記側面フラップを跳ね上げることで開口部が形成され、
包装箱の上側から内容物を取り出し可能に構成される、
ことを特徴とする請求項１乃至請求項７のいずれか一項に記載の包装箱。
【発明の詳細な説明】
【技術分野】
【０００１】
本発明は、飲料ペットボトル等のボトル容器の包装箱に関し、特に自動販売機等への投入作業におけるボトル容器の取り出し性に優れた包装箱に関する。
【背景技術】
【０００２】
従来、例えば、特許文献１に開示されるように、飲料の入ったペットボトル等のボトル容器を自動販売機へ装填する際の作業性を考慮した包装箱が知られている。
【０００３】
特許文献１では、いわゆるＡ式カートン（セットアップ段ボール箱）において、自動販売機へのボトル容器の投入作業の効率化を実現する構成を開示している。具体的には、周壁を構成する短側板（幅狭の側面）が上側（天面）になるように包装箱を立てた状態とするとともに、Ｈ型切込からカットテープを引っ張って短側板を切断して開封することで、ボトル容器を上から取り出せる構成としている。
【先行技術文献】
【特許文献】
【０００４】
【特許文献１】特開２００２−１６６９２７号公報
【発明の概要】
【発明が解決しようとする課題】
【０００５】
特許文献１に開示されるような構成では、短側板にＨ型切込しか設けられていないため、当該短側板を上側にして開封をする際には、まずＨ型切込に手指を入れて左右の稜部に至るまでカットテープをそれぞれ水平方向に引っ張った後、直交方向に伸びる稜部を破って開封する必要があった。
【０００６】
この場合、カットテープの左右への引張り作業は、手指でしっかりと掴んで強い力で引っ張る必要があり、また、左右の二方向にそれぞれ引張る作業が必要となるため作業者に負担を強いるものとなる。また、カットテープの引張を終えた後にさらに稜部（隣り合う側板の境界部分）を破る作業も強いることになるため、この点も作業者の負担が大きいものとなる。
【０００７】
以上に鑑み、本願発明は、ボトル容器の包装箱において、容易に開封でき、開封時における作業者の負担を軽減できる新規な技術を提案するものである。
【課題を解決するための手段】
【０００８】
本発明の解決しようとする課題は以上の如くであり、次にこの課題を解決するための手段を説明する。
【０００９】
即ち、本発明の一形態によれば、４つの側板を交互に配置して周壁を構成し、各側板にそれぞれ接続されるフラップを閉じて箱形状を構成する包装箱であって、
少なくとも一つの側板には、
側板の左右の中央部に配置される手掛部から、側板の左右縁部において上下方向に伸びる折目に向かって斜め上方向に伸び、折目の近傍から折目に沿って上方向に向かって伸びるように形成されるジッパーラインと、
手掛部を引っ張り上げることでジッパーラインが破断して開かれる側面フラップと、を有する、包装箱とするものである。
【００１０】
また、本発明の一形態によれば、手掛部から斜め上方向に伸びるジッパーラインの傾斜ライン部は、側板の上下方向において中央よりも下側にずれた位置に配置されることとする。
【００１１】
また、本発明の一形態によれば、ジッパーラインの傾斜ライン部において折目の近傍の箇所は、他の箇所よりも長さの短い小貫通線にて構成される。
【００１２】
また、本発明の一形態によれば、側板において、傾斜ライン部を挟んで側面フラップと反対側の領域に下壁部が形成され、側面フラップを開いた状態で、下壁部が残される構成とする。
【００１３】
また、本発明の一形態によれば、折目と小貫通線の間には、折目側に向かって低くなる傾斜をなすように伸びる下向貫通線が設けられる。
【００１４】
また、本発明の一形態によれば、
側板左右縁部において上下方向に伸びる折目において、
下向貫通線よりも上側の領域に、折目に沿って上方向に向かって伸びるジッパーラインの上下ライン部が配置され、
下向貫通線よりも下側の領域に、ジッパーラインの無い単純折目部が配置される、こととし、
単純折目部の長さは、折目の上下寸法の１／５以上〜１／２以下とする、こととする。
【００１５】
また、本発明の一形態によれば、
側板は、幅狭の短側板と幅広の長側板を交互に接続して周壁を構成するものであり、
幅狭の短側板にジッパーラインと、側面フラップと、が形成され、
短側板が天面に位置するように包装箱を縦向きにした状態で、側面フラップを跳ね上げることで開口部が形成され、
包装箱の上側から内容物を取り出し可能に構成される、こととする。
【発明の効果】
【００１６】
本発明の一形態によれば、側面フラップを跳ね上げて開封が行えることから、包装箱の開封作業に要する作業者の負担を軽減することができる。
【００１７】
また、本発明の一形態によれば、側面フラップを開いた後は広い開口部を形成することができ、包装箱に収容されたボトル容器などを取り出しやすい構成が実現できる。
【００１８】
また、本発明の一形態によれば、ジッパーラインの連続性を維持して開封性を確保することができる。また、周辺箇所の強度を維持することができ、積み付け時（包装箱の積み上げ時）におけるいわゆる胴膨れ（包装箱が押し潰されることによる横方向の変形）を抑制することができる。
【００１９】
また、本発明の一形態によれば、下壁部がいわゆる補強部として機能し、開封後の包装箱の剛性を確保することができる。
【００２０】
また、本発明の一形態によれば、開口部に手を入れて下壁部を上側に持ち上げる方向に力を加えると、下向貫通線を起点として破断を開始することができ、そのまま折目に沿って折目が破られて下壁部を開くことができる。このようにして、開口部をより広げたい場合や、包装箱を折りたたんで廃棄する際には、下壁部を容易に開くことが可能となり、作業時間の短縮化、効率化を図ることができる。
【００２１】
また、本発明の一形態によれば、ジッパーラインの無い単純折目部が確保され、積み付け時（包装箱の積み上げ時）において上側から大きな荷重が作用する際にも、折目全体としての強度が確保され、包装箱の変形や潰れなどの不具合発生を防止できる。また、輸送時の破れ防止や、ジッパーラインが破れてしまった際にボトル容器が外に飛び出してしまうことを防止できる。さらに、下壁部による補強を確保しながらも開口部を広く確保することができ、積付・運搬時の強度確保と良好な取り出し性の確保を両立できる。
【００２２】
また、本発明の一形態によれば、例えば、自動販売機へのボトル容器の投入作業の際に、左腕で包装箱を抱えつつ右手で側面フラップを開き、そのまま右手でボトル容器を投入するなどといった作業も可能となり、作業時間の短縮化、効率化を図ることができる。
【図面の簡単な説明】
【００２３】
【図１】包装箱の組立前のブランクの状態について示す図。
【図２】包装箱を横置きした状態について示す図。
【図３】短側板の構成について示す図。
【図４】（Ａ）は包装箱を縦向きにした状態について示す図。（Ｂ）は側面フラップを跳ね上げて開いた状態について示す図。
【図５】（Ａ）は包装箱を横向きにして側面フラップを跳ね上げて開いた状態について示す図。（Ｂ）は下壁部を手前に倒した状態について示す図。
【発明を実施するための形態】
【００２４】
以下、この発明の実施の形態を添付図面に基づいて説明する。なお、本明細書では説明の便宜のため、基本的に図１の矢印に示す上下、左右を基準として位置関係を特定するものとする。
【００２５】
この包装箱は、図１に示すような段ボール製のブランクから成り、このブランクでは、一対の幅狭の短側板１，１と、一対の幅広の長側板２，２が折目８を介して交互に連接される。一方の短側板１の外縁には継代板３が連接される。
【００２６】
各短側板１と各長側板２の上下縁には、フラップ４，５がそれぞれ連設されている。連接箇所にはそれぞれ折目３１，３２が形成される。
【００２７】
上記のようなブランクにおいて、図２に示すように、短側板１と長側板２を角筒状に折り曲げるとともに、継代板３（図１）を一方の短側板１の裏面に貼り付けて周壁を形成し、フラップ４，５を内側へ折り曲げることで、包装箱５０が形成される。
【００２８】
図１及び図２に示すように、各短側板１には手提孔切込１１が形成されており、手提孔切込１１に手指を押し入れて小片部分を内側に押し込むことで、手提孔が開口されるようになっている。
【００２９】
図１及び図２に示すように、各長側板２には、それぞれＨ型切込２１が形成されており、Ｈ型切込２１に手指を入れて摘み部分を手前に折り出すとともに横方向に引っ張ることで、内部のカットテープが引き上げられて各長側板２が破断し、上下に分離できるようになっている。
【００３０】
図３は短側板１の構成について示す図である。
この短側板１は、図４（Ａ）に示すように、包装箱５０を立てた際に上側に配置されるものであり、図４（Ｂ）に示すように開封されて内部のボトル容器４０を容易に取り出せるように構成される。
【００３１】
図３に示すように、短側板１には、左右方向の中央部であって、上下方向の下側から約１／４の位置において、内側に押し込まれて手掛部１９を形成するための舌片１２が設けられる。舌片１２は、水平方向に伸びる折目１２ａと、折目１２ａの左右端部から下方向に膨らむ円弧状をなす複数の貫通線１２ｂと、により囲まれて形成される。
【００３２】
図３に示すように、短側板１には、舌片１２の折目１２ａの左右端の位置から、それぞれ左右斜め上方向に伸びるジッパーライン１４，１４が形成される。各ジッパーライン１４は、短側板１と長側板２の境界となる折目８において上方向に屈折し、折目８に沿って短側板１の上端に至る位置まで伸びるように構成される。ジッパーライン１４において、舌片１２の折目１２ａから折目８の間の部位が傾斜ライン部１４ａとされ、折目８に沿って上下方向に配置される部位が上下ライン部１４ｂとされる。
【００３３】
なお、ジッパーライン１４は、図１に示される２つの短側板１の少なくとも１つに設けることとしてもよい。また、舌片１２が設けられず、舌片１２に対応する箇所に手指を引っ掛けることができる手掛部１９が予め開口されることとしてもよい。
【００３４】
図３に示すように、ジッパーライン１４において、傾斜ライン部１４ａと上下ライン部１４ｂの境界部１４ｃは、短側板１の上下方向において中心よりも下側に位置することとしている。本実施例では、短側板１の上下方向において下側から約１／３に位置することとしている。これにより、上下ライン部１４ｂの上下範囲が広く確保され、詳しくは後述するように、側面フラップ１６を開いた際の開口部５２（図４（Ｂ））を広く確保することができる。
【００３５】
図３に示すように、ジッパーライン１４は、略Ｌ字状の貫通線１５ａを等間隔で配置することで構成され、力を加えることによって、各貫通線１５ａの間の領域が破断してジッパーライン１４が連続的に破断する。
【００３６】
図３に示すように、短側板１において、ジッパーライン１４と、舌片１２の折目１２ａと、上側の折目３１と、によって囲まれる領域により、側面フラップ１６が画成される。
【００３７】
図３に示すように、短側板１において、側面フラップ１６よりも下側の領域、即ち、ジッパーライン１４と、舌片１２の貫通線１２ｂと、左右の折目８，８と、下側の折目３２と、によって囲まれる領域により、下壁部１８が画成される。
【００３８】
なお、図１に示すように、継代板３においては、ジッパーライン１４に対応する位置に同様のジッパーライン１７が設けられており、継代板３が貼り合わされた側面フラップ１６が開かれる際に、継代板３に形成されるジッパーライン１７が破断する。ジッパーライン１７が破断せずに、側面フラップ１６と継代板３の糊付け部分を剥離させることで、側面フラップ１６を開くこともできる。
【００３９】
以上の構成において、図４（Ａ）に示すように、短側板１が上側になるように縦向きにするとともに、舌片１２を内側に押し込んで手掛部１９を開口し、そのまま手指により側面フラップ１６を内側から矢印Ｆ１の方向に引張上げる力を加える。これにより、ジッパーライン１４が傾斜ライン部１４ａ、上下ライン部１４ｂに向けて連続的に破断し、図４（Ｂ）に示すように、側面フラップ１６が跳ね上げられるようにして開き、包装箱５０が開封される。
【００４０】
図４（Ｂ）に示すように、側面フラップ１６が開くことによって、包装箱５０の上側にボトル容器４０を取り出すための広い開口部５２が形成され、開口部５２を通じてボトル容器４０を上側から取り出すことができる。
【００４１】
そして、この開封作業においては、舌片１２を内側に押し込んでそのまま引っ張り上げるといった、いわゆるワンアクションの操作によって開封が行えることから、包装箱５０の開封作業に要する作業者の負担を軽減することができる。
【００４２】
また、片手で包装箱５０を開封することも可能となるため、例えば、自動販売機へのボトル容器４０の投入作業の際に、左腕で包装箱５０を抱えつつ右手で側面フラップ１６を開き、そのまま右手でボトル容器４０を投入するなどといった作業も可能となり、作業時間の短縮化、効率化を図ることができる。
【００４３】
また、図４（Ｂ）に示すように、側面フラップ１６が開くことによって開口部５２が形成されるが、下壁部１８は残ったままとなる。このように下壁部１８が存在することで、下壁部１８がいわゆる補強部として機能し、開封後の包装箱５０の剛性を確保することができる。
【００４４】
開封後に包装箱５０の剛性が確保されることにより、例えば、包装箱５０を持ち上げた際に変形が生じることなく安定した状態で持ち上げることが可能となる。また、内部のボトル容器の数が少なくなって内部の空き空間が広がった場合においても、包装箱５０が潰れるなどの変形が生じることが防がれ、箱形状を維持することが可能となる。
【００４５】
特に、自動販売機への商品の補充においては、複数の拠点を移動して補充することが想定されるものであり、ある拠点で包装箱を開封後に全てのボトル容器が補充されずに、開封された状態の包装箱をトラック等に積載して移動することが想定される。このため、開封後の包装箱の形態安定性が求められるものであり、この点において下壁部１８による剛性の確保は有効なものとなる。
【００４６】
また、図３に示すように、ジッパーライン１４の傾斜ライン部１４ａにおいて、折目８の近傍（傾斜ライン部１４ａと上下ライン部１４ｂの境界部１４ｃ）では、略Ｌ字状の貫通線１５ａに替えて、他の貫通線１５ａよりも短い直線状の小貫通線１５ｂが配置される構成としている。
【００４７】
このように、折目８の近傍において、短い小貫通線１５ｂを配置することで、ジッパーライン１４の連続性を維持して開封性を確保するとともに、積み付け時（包装箱の積み上げ時）におけるいわゆる胴膨れ（包装箱が押し潰されることによる横方向の変形）に対する剛性を高めることができる。
【００４８】
また、図３に示すように、折目８と小貫通線１５ｂの間には、折目８側に向かって低くなる傾斜をなすように、下向貫通線１５ｃが設けられる。本実施例では、斜め下向きの傾斜部と、上下方向の縦部と、から略Ｌ字状をなす下向貫通線１５ｃが一つ設けられ、下向貫通線１５ｃの縦部が折目８に沿うように形成される。
【００４９】
下向貫通線１５ｃが設けられることで、図４（Ｂ）に示すように、下壁部１８の裏側に手を差し込んで上側に持ち上げる方向Ｆ２に力を加えると、下向貫通線１５ｃ（図３）を起点として破断が開始され、そのまま折目８に沿って折目８が破られて下壁部１８を開くことができる。
【００５０】
このようにして、開口部５２をより広げたい場合や、包装箱５０を折りたたんで廃棄する際には、下壁部１８を容易に開くことが可能となり、作業時間の短縮化、効率化を図ることができる。
【００５１】
以上に説明した実施例では、周壁を構成する短側板１について側面フラップ１６を形成することとしたが、短側板１に設ける代りに長側板２に設けることとしてもよく、あるいは、短側板１と長側板２の両方に設けることとしてもよい。また、４つの側板のうち、いずれか１つの側板にのみ側面フラップ１６が設けられることや、全ての側板に側面フラップ１６が設けられることとしてもよい。また、幅狭の短側板１と幅広の長側板２で周壁が構成されることとする他、同一幅の４つの側板により周壁が構成されるものであってもよい。
【００５２】
以上のようにして本願発明を実施することができる。
即ち、図１乃至図４に示すように、
４つの側板（短側板１、長側板２）を交互に配置して周壁を構成し、各側板にそれぞれ接続されるフラップ４，５を閉じて箱形状を構成する包装箱５０であって、
少なくとも一つの側板には、
側板の左右の中央部に配置される手掛部１９から、側板の左右縁部において上下方向に伸びる折目８に向かって斜め上方向に伸び、折目８の近傍から折目８に沿って上方向に向かって伸びるように形成されるジッパーライン１４と、
手掛部１９を引っ張り上げることでジッパーライン１４が破断して開かれる側面フラップ１６と、を有する、包装箱５０とするものである。
【００５３】
この構成により、側面フラップ１６を跳ね上げて開封が行えることから、包装箱５０の開封作業に要する作業者の負担を軽減することができる。
【００５４】
また、図３に示すように、手掛部１９から斜め上方向に伸びるジッパーライン１４の傾斜ライン部１４ａは、側板の上下方向において中央よりも下側にずれた位置に配置されることとする。
【００５５】
この構成により、側面フラップ１６を開いた後は広い開口部５２を形成することができ、包装箱に収容されたボトル容器などを取り出しやすい構成が実現できる。
【００５６】
また、図３に示すように、ジッパーライン１４の傾斜ライン部１４ａにおいて折目８の近傍の箇所は、他の箇所よりも長さの短い小貫通線１５ｂにて構成される。
【００５７】
この構成により、ジッパーライン１４の連続性を維持して開封性を確保することができる。また、周辺箇所の強度を維持することができ、積み付け時（包装箱の積み上げ時）におけるいわゆる胴膨れ（包装箱が押し潰されることによる横方向の変形）を抑制することができる。なお、小貫通線１５ｂの長さや配置については特に限定されるものではないが、例えば、図３の例に示すように、長さが他の貫通線１５ａの１／４程度の直線を２つ配置する構成が採用できる。
【００５８】
また、図３及び図４（Ｂ）に示すように、側板（短側板１）において、傾斜ライン部１４ａを挟んで側面フラップ１６と反対側の領域に下壁部１８が形成され、側面フラップ１６を開いた状態で、下壁部１８が残される構成とする。
【００５９】
この構成により、下壁部１８がいわゆる補強部として機能し、開封後の包装箱５０の剛性を確保することができる。
【００６０】
また、図３に示すように、折目８と小貫通線１５ｂの間には、折目８側に向かって低くなる傾斜をなすように伸びる下向貫通線１５ｃが設けられる。
【００６１】
この構成により、図４（Ｂ）に示すように、開口部５２に手を入れて下壁部１８を上側に持ち上げる方向Ｆ２に力を加えると、下向貫通線１５ｃを起点として破断を開始することができ、そのまま折目８に沿って折目８が破られて下壁部１８を開くことができる。このようにして、開口部５２をより広げたい場合や、包装箱５０を折りたたんで廃棄する際には、下壁部１８を容易に開くことが可能となり、作業時間の短縮化、効率化を図ることができる。
【００６２】
また、図３に示すように、
側板左右縁部において上下方向に伸びる折目８において、
下向貫通線１５ｃよりも上側の領域に、折目に沿って上方向に向かって伸びるジッパーライン１４の上下ライン部１４ｂが配置され、
下向貫通線１５ｃよりも下側の領域に、ジッパーラインの無い単純折目部８ａが配置される、こととし、
単純折目部８ａの長さは、折目８の上下寸法の１／５以上〜１／２以下とする、こととする。
【００６３】
この構成により、ジッパーラインの無い単純折目部８ａが確保され、積み付け時（包装箱の積み上げ時）において上側から大きな荷重が作用する際にも、折目８全体としての強度が確保され、包装箱の変形や潰れなどの不具合発生を防止できる。また、輸送時の破れ防止や、ジッパーラインが破れてしまった際にボトル容器が外に飛び出してしまうことを防止できる。さらに、下壁部１８による補強を確保しながらも開口部５２を広く確保することができ、積付・運搬時の強度確保と良好な取り出し性の確保を両立できる。
【００６４】
また、図４（Ａ）（Ｂ）に示すように、側板は、幅狭の短側板１と幅広の長側板２を交互に接続して周壁を構成するものであり、
幅狭の短側板１にジッパーライン１４と、側面フラップ１６と、が形成され、
短側板１が天面に位置するように包装箱５０を縦向きにした状態で、側面フラップ１６を跳ね上げることで開口部５２が形成され、
包装箱の上側から内容物（ボトル容器４０）を取り出し可能に構成される、こととする。
【００６５】
この構成により、例えば、自動販売機へのボトル容器４０の投入作業の際に、左腕で包装箱５０を抱えつつ右手で側面フラップ１６を開き、そのまま右手でボトル容器４０を投入するなどといった作業も可能となり、作業時間の短縮化、効率化を図ることができる。
【００６６】
なお、図５（Ａ）に示すように、包装箱５０を横置きにするとともに、側面フラップ１６を開いた状態とし、横方向に取り出すように用いることとしてもよい。この場合、下壁部１８が存在することより、高い剛性を確保することができる。特に高い剛性が必要でない場合には、図５（Ｂ）に示すように、下壁部１８を手前に倒し、広い開口部を形成してボトル容器をより取り出しやすいようにしてもよい。
【符号の説明】
【００６７】
１    短側板
２    長側板
３    継代板
４    フラップ
５    フラップ
８    折目
８ａ  単純折目部
１１    手提孔切込
１２    舌片
１２ａ    折目
１２ｂ    貫通線
１４    ジッパーライン
１４ａ    傾斜ライン部
１４ｂ    上下ライン部
１４ｃ    境界部
１５ａ    貫通線
１５ｂ    小貫通線
１５ｃ    下向貫通線
１６    側面フラップ
１７    ジッパーライン
１８    下壁部
１９    手掛部
２１    Ｈ型切込
３１    折目
３２    折目
４０    ボトル容器
５０    包装箱
５２    開口部
【要約】
【課題】  ボトル容器の包装箱において、容易に開封でき、開封時における作業者の負担を軽減できる新規な技術を提案するものである。
【解決手段】  ４つの側板（短側板１、長側板２）を交互に配置して周壁を構成し、各側板にそれぞれ接続されるフラップ４，５を閉じて箱形状を構成する包装箱５０であって、少なくとも一つの側板には、側板の左右の中央部に配置される手掛部１９から、側板の左右縁部において上下方向に伸びる折目８に向かって斜め上方向に伸び、折目８の近傍から折目８に沿って上方向に向かって伸びるように形成されるジッパーライン１４と、手掛部１９を引っ張り上げることでジッパーライン１４が破断して開かれる側面フラップ１６と、を有する、包装箱５０とする。
【選択図】図４【図１】
0006933878.tif 000002
【図２】
0006933878.tif 000003
【図３】
0006933878.tif 000004
【図４】
0006933878.tif 000005
【図５】
0006933878.tif 000006